(57)【要約】【課題】  薬の服用日時、服用したか否かを常に確認可能な投薬シートを提案すること。【解決手段】  投薬シート１は錠剤５が封入されている各封入部６に、薬の服用日時が表示された服用日時表示面９を備えている。例えば、服用の日付けの数字と、朝、昼、夜などの文字が記入あるいは印刷されている。服用者は、この表示を見れば、そこに封入されている薬を何日の何時頃に服用すればよいかが分かる。また、服用し忘れた場合には、既に過ぎた日時が表示されている封入部に薬が残っているので、忘れたことを直ちに理解できる。さらに、服用したにも拘わらず、それを忘れて二重に服用しようとした場合、その日時に服用すべき薬の封入部６には既に薬が無いので、服用したことを確認でき、二重の服用を防止できる。【選択図】  図１
2005323719.tif 000002
【特許請求の範囲】
【請求項１】
積層された表面シートおよび裏面シートと、
これら表面および裏面シートの間に形成された、錠剤、薬カプセルなどが封入されている封入部と、
各封入部の表面あるいは裏面シート部分、または、各封入部近傍の表面あるいは裏面シート部分に形成されている薬服用日時に関する情報を表示するための表示部とを有している投薬シート。
【請求項２】
請求項１において、
前記表示部は、前記表面シートおよび／または前記裏面シートに形成された水性インクあるいは油性インクの受像面であることを特徴とする投薬シート。
【請求項３】
請求項１において、
前記表示部は、前記表面シートおよび／または前記裏面シートに貼り付けられたラベルであることを特徴とする投薬シート。
【請求項４】
請求項１ないし３のうちのいずれかの項において、
前記情報には、日付けを表す数字と、朝、昼、夜、食前、食後などの文字とが含まれている投薬シート。
【発明の詳細な説明】
【技術分野】
【０００１】
本発明は、錠剤などの薬が封入されている投薬シートに関し、薬の服用日時などを常に確認することができ、また、服用のし忘れ、二重の服用などの防止に有効な投薬シートに関するものである。
【背景技術】
【０００２】
医局や調剤薬局などで処方される薬は紙製の袋などに入れて患者に渡され、袋には薬の摂取日時などの服用法が記載されている。患者は、袋に記載された服用法に従って、袋に入っている薬を服用する。薬は服用しやすいように、錠剤あるいはカプセルの形態のものが多く、これらの薬は、一般に、プラスチック製の透明なシートの裏面にアルミ箔などを積層した構成の投薬シートの各封入部に封入されている。
【発明の開示】
【発明が解決しようとする課題】
【０００３】
薬の服用は、例えば、１日に１錠、朝、昼、夜にそれぞれ１錠ずつなどというように、袋に記載されている処方箋に従う必要がある。しかしながら、飲み忘れてしまう場合や、服用したか否かを忘れてしまう場合がある。特に、複数種類の薬を服用する場合、各薬によって服用個数、時間が異なる場合には、年少者や高齢者は混乱を生じ易い。
【０００４】
本発明の課題は、このような点に鑑みて、薬の服用日時、服用個数、および服用したか否かを常に確認可能な投薬シートを提案することにある。
【課題を解決するための手段】
【０００５】
上記の課題を解決するために、本発明の投薬シートは、積層された表面シートおよび裏面シートと、これら表面および裏面シートの間に形成された、錠剤、薬カプセルなどが封入されている封入部と、各封入部の表面あるいは裏面シート部分、または、各封入部近傍の表面あるいは裏面シート部分に形成されている薬服用日時に関する情報を表示するための表示部とを有していることを特徴としている。
【０００６】
ここで、前記表示部を、前記表面シートおよび／または前記裏面シートに形成された水性インクあるいは油性インクの受像面とすれば、ここに、手書きあるいは印刷により、薬服用日時を表示できる。
【０００７】
また、前記表示部を、前記表面シートおよび／または前記裏面シートに貼り付けられたラベルとすることもできる。この場合には、ラベルに手書きあるいは印刷により薬服用日時を記入し、これを投薬シートにおける各封入部に貼り付ければよい。
【０００８】
前記表示部に表示される情報としては、日付けを表す数字と、朝、昼、夜、食前、食後などの文字を用いることができる。
【発明の効果】
【０００９】
以上説明したように、本発明の投薬シートでは、各封入部に、薬の服用日時に関する情報が表示されている。例えば、服用の日付けの数字と、朝、昼、夜などの文字が記入あるいは印刷されている。したがって、服用者は、この表示を見れば、そこに封入されている薬を何日の何時頃に服用すればよいかが分かる。また、服用し忘れた場合、あるいは、２錠飲むべきところを１錠しか服用しなかった場合には、既に過ぎた日時が表示されている封入部に薬が残っているので、忘れたことを直ちに理解できる。さらに、服用したにも拘わらず、それを忘れて二重に服用しようとした場合、その日時に服用すべき薬の封入部には既に薬が無いので、服用したことを確認でき、二重の服用を防止できる。
【発明を実施するための最良の形態】
【００１０】
以下に、図面を参照して、本発明を適用した投薬シートの一例を説明する。
【００１１】
図１(ａ)は本例の投薬シートを示す斜視図であり、図１(ｂ)はそのｂ−ｂ線で切断した部分を示す部分断面図であり、図１(ｃ)はその服用日時表示面を示す説明図である。投薬シート１は一般的に使用されているものと同様であり、プラスチック製の表面シート２と、この裏面に積層接着されたアルミ箔などの裏面シート３から構成されている。表面シート２には表面側に突出した複数の円形状凹部４が形成されており、各円形状凹部４は裏面シート３によって封鎖されて、錠剤５を封入している封入部６となっている。錠剤服用時には、封入部６を表面側から裏面側に押し込み、錠剤５を裏面シート３を破って裏面側に押し出すようになっている。また、表面シート２には一定の間隔で幅方向にミシン目７が付いている。
【００１２】
ここで、プラスチック製の表面シート２における各封入部６の円形表面は、水性インクの受像層８がコーティングされた服用日時表示面９(表示部)とされている。各表示面９には、手書きあるいは、インクジェットプリンタなどの印刷機構を用いて、服用日時が記入されている。本例では、「１５朝」などのように記入されている。
【００１３】
小さな錠剤の場合には、表示面９が服用日時を記入するには狭すぎることがある。このような場合には、図２に示すように、各封入部６に隣接している表面シートの部分に、例えば長方形の表示面９Ａ、９Ｂ、９Ｃなどを形成すればよい。表面シート２の代わりに、裏面シート３の表面に、表示面を形成することもできる。
【００１４】
さらに、図２(ｂ)に示すように、長方形のラベル１０を作成し、ここに服用日時を印刷して、各封入部６の隣接位置に貼り付けるようにしてもよい。勿論、図１における円形の表示面９の代わりに、円形のラベルを用意して、封入部６の表面に貼り付けるようにしてもよい。
【００１５】
さらには、図２(ｃ)に示すように、長方形のラベル１１に予め「月日」「夜昼」などを印刷しておき、手書きあるいは印刷により日時の数字を記入すると共に、服用時間帯の対応する文字に丸印を付けて、対応する封入部６に貼り付けるようにしてもよい。勿論、表面シート２あるいは裏面シート３に、これらを印刷しておき、手書き、あるいは印刷により、日時の数字および丸印を直接に記入するようにしてもよい。
【００１６】
このように構成した本例の投薬シート１では、各封入部６に服用日時が表示されている。したがって、服用者は、この表示を見て、錠剤を何時服用するのかを確認できる。また、服用し忘れた場合にも、既に過ぎた日時が表示されている封入部６に錠剤５が残っているので、直ちにそれを知ることができる。さらに、服用したか否かを確認する場合も、各封入部６の服用日時を見ればよい。
【００１７】
よって、複数種類の薬を服用する場合に、それらの服用日時を覚えておく必要がなく、単に、各投薬シートの表示を見て、該当日時に錠剤を服用するだけでよい。このため、年少者や高齢者にとっては、どの薬を何時服用すればよいのかを迷う必要がない。また、一度に同一の薬を複数個服用する場合には、必要個数分の封入部６に同一日時が表示されているので、それらを服用すればよい。よって、服用個数についても迷う必要がなく、極めて便利である。
【図面の簡単な説明】
【００１８】
【図１】(ａ)は本例の投薬シートを示す斜視図であり、(ｂ)はそのｂ−ｂ線で切断した部分を示す部分断面図であり、(ｃ)はその服用日時表示面を示す説明図である。
【図２】(ａ)は投薬シートの表示面の別の例を示す説明図であり、(ｂ)はラベルの一例を示す説明図であり、(ｃ)はラベルの別の例を示す説明図である。
【符号の説明】
【００１９】
１    投薬シート
２    表面シート
３    裏面シート
４    円形凹部
５    錠剤
６    封入部
７    ミシン目
８    受像層
９、９Ａ〜９Ｃ  服用日時表示面
１０、１１  ラベル
【図１】
2005323719.tif 000003
【図２】
2005323719.tif 000004